【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】  対象物の表面に耐久性のある親水性コーティング及び/又は耐久性のある防曇コーティングを与えるための水性コーティング組成物であって、
a) 水に分散又は乳化しかつ高分子マトリックスを形成することができる多官能高分子担体と;
b) 親水性水溶性有機モノマー、オリゴマー、プレポリマー、ポリマー又はコポリマーと;
c) 多官能水性コロイド状金属酸化物と;
d) 多官能架橋剤と;
を含む、前記コーティング組成物。
【請求項２】  分散又は乳化された該多官能高分子担体が、変性高分子ウレタン、尿素、エステル、エーテル、カーボネート、ビニル、アクリル、メタクリル、アルキド、アクリルアミド、マレイン酸無水物、エポキシプレポリマー、関連ポリマー又はその組合わせである、請求項1記載のコーティング組成物。
【請求項３】  該親水性有機モノマー、オリゴマー、プレポリマー又はコポリマーが、ビニルアルコール、N-ビニルピロリドン、N-ビニルラクタム、アクリルアミド、アミド、スチレンスルホン酸、ビニルブチラールとN-ビニルピロリドンの組合わせ、ヒドロキシエチルメタクリレート、アクリル酸、ビニルメチルエーテル、ビニルピリジリウムハライド、メラミン、マレイン酸無水物/メチルビニルエーテル、ビニルピリジン、エチレンオキシド、エチレンオキシドエチレンイミン、グリコール、酢酸ビニル、酢酸ビニル/クロトン酸、メチルセルロース、エチルセルロース、カルボキシメチルセルロース、ヒドロキシエチルセルロース、ヒドロキシプロピルセルロース、ヒドロキシメチルエチルセルロース、ヒドロキシプロピルメチルセルロース、酢酸セルロース、硝酸セルロース、デンプン、ゼラチン、アルブミン、カゼイン、ガム、アルギネート、ヒドロキシエチル(メタ)アクリレート、ヒドロキシプロピル(メタ)アクリレート、エチレングリコール(メタ)アクリレート、N-アルキル(メタ)アクリルアミド、N,N-ジアルキル(メタ)アクリルアミド、N-ヒドロキシアルキル(メタ)アクリルアミドポリマー、N,N-ジヒドロキシアルキル(メタ)アクリルアミドポリマー、エーテルポリオール、ポリエチレンオキシド、ポリプロピレンオキシド、ポリ(ビニルエーテル)、アルキルビニルスルホン、アルキルビニルスルホンアクリレート又はその組合わせから誘導される、請求項1記載のコーティング組成物。
【請求項４】  該多官能水性コロイド状金属酸化物が、アルミニウム、ケイ素、チタン、ジルコニウム、亜鉛、スズ、銀、関連コロイド状金属酸化物及びその組合わせからなる群より選ばれた金属から誘導される、請求項1記載のコーティング組成物。
【請求項５】  該コロイド状金属酸化物が、アルミン酸塩、ケイ酸塩、チタン酸塩、亜鉛酸塩、スズ酸塩、輝銀鉱、ケイ酸アルミニウム、チタン酸アルミニウム、ジルコン酸塩、ジルコアルミン酸塩及びその組合わせからなる群より選ばれる、請求項1記載のコーティング組成物。
【請求項６】  該多官能架橋剤が、多官能アジリジン、カルボジイミド、オキシラン、アルコール、グリシジルエーテル、グリシジルエステル、カルボキシル、アミン、エポキシド、ビニルスルホン、アミド、及びアリル化合物、前記多官能化合物のプレポリマー樹脂又はその組合わせである、請求項1記載のコーティング組成物。
【請求項７】  該多官能アジリジン化合物が、トリメチロールプロパントリ[β-(N-アジリジニル)プロピオネート]; 2,2-ビスヒドロキシメチルブタノールトリス[3-(1-アジリジン)プロピオネート]; アジリジン-2-メチロールアクリレート; アジリジン-2-メチロールメタクリレート; N-(2-アジリジニル)メチルアクリルアミド; N-(2-アジリジニル)メチルメタクリルアミド; 1-(アジリジン-2-イル)-2-オキサブタ-3-エン; 4-(アジリジン-2-イル)ブタ-1-エン; 5-(アジリジン-2-イル)ペンタ-1-エン; 前記アジリジン化合物のプレポリマー樹脂; 及びその組合わせからなる群より選ばれる、請求項6記載のコーティング組成物。
【請求項８】  該水性コーティング組成物及び/又はコーティングされた前記表面の得られた親水性コーティングの性能を向上させるための補助剤を更に含む、請求項1記載のコーティング組成物。
【請求項９】  該補助剤には、放射線不透物質が含まれる、請求項８記載のコーティング組成物。
【請求項１０】  ゲルに形成される、請求項1記載のコーティング組成物。
【請求項１１】  該高分子担体濃度が、約0.01質量％〜約42質量％である、請求項1記載のコーティング組成物。
【請求項１２】  該親水性水溶性有機モノマー、オリゴマー、プレポリマー、ポリマー又はコポリマーの濃度が、約0.001質量％〜約25質量％である、請求項1記載のコーティング組成物。
【請求項１３】  該多官能水性コロイド状金属酸化物濃度が、約0.01質量％〜約25質量％である、請求項1記載のコーティング組成物。
【請求項１４】  該架橋剤濃度が、約0.001〜約8質量％である、請求項1記載のコーティング組成物。
【請求項１５】  該補助剤の濃度が、約0.001質量％〜約10質量％である、請求項８記載のコーティング組成物。
【請求項１６】  0.5質量％〜50質量％の量の少なくとも1種の追加の有機溶媒と1質量％〜95質量％の量の水を含む、請求項1記載のコーティング組成物。
【請求項１７】  該対象物の表面が、金属、金属合金、プラスチック、ガラス、ヒト皮膚又は動物皮膚からなる、請求項1記載のコーティング組成物。
【請求項１８】  ヒト又は動物の体内に導入するための医療用具であって、前記用具の少なくとも1つの表面上に請求項1記載の水性コーティング組成物から形成された親水性コーティングを含む、前記医療用具。
【請求項１９】  少なくとも部分的にステンレス鋼、ニッケル、ニッケル-コバルト、チタン、NiTi、タンタル、ニチノール、希土類金属、銀、金、白金、タングステン、その組合わせ及び合金からなる群より選ばれた金属又は金属合金又はそのメッキ製品からできている、請求項１８記載の医療用具。
【請求項２０】  少なくとも部分的にポリウレタン、ポリカーボネート、ポリエーテル、ポリエステル、ポリ塩化ビニル、ポリスチレン、ポリエチレン、ポリ酢酸ビニル、シリコーンゴム、ゴムラテックス、ポリエステル-ポリエーテルコポリマー、エチレンメタクリレート、フタル酸ポリマー、シリコーン、天然ゴム、合成ゴム、ナイロン、PEBAX、ポリアミド、そのフッ素化誘導体及びその組合わせからなる群より選ばれるプラスチック材料からできている、請求項１８記載の医療用具。
【請求項２１】  少なくとも部分的にガラスからできている、請求項１８記載の医療用具。
【請求項２２】  チューブ、毛細管、ワイヤ、シート、コイル、ロッド、ラチス又はワイヤの網目構造の形である、請求項１８記載の医療用具。
【請求項２３】  外科用ロッド、ガイドワイヤ、ガイドワイヤチューブ、コイルガイドチューブ、カテーテル、コイルカテーテル、消耗又は非消耗ステント、電極コイル、ニードル、ブレード又は類似の金属医療用具、錠剤、カプセル、繊維、創包帯、縫合糸、バルーン、ホイル、ガイドチューブ、眼レンズ、送達器具、又は創ドレンである、請求項１８記載の医療用具。
【請求項２４】  該補助剤には、アルコール、アルキルケトン、アリールアルキルケトン、ケトアルコール、環状ケトン、ヘテロ環状ケトン、エーテル、環状エーテル、エステル、及びその組合わせからなる群より選ばれた溶媒が少なくとも1種含まれる、請求項８記載のコーティング組成物。
【請求項２５】  該補助剤が、該水性コーティング組成物に化学的に結合されるか及び/又は物理的に取り込まれか又は該対象物の表面上の最終親水性コーティングに取り込まれるものである、請求項８記載のコーティング組成物。
【請求項２６】  前記治療剤が、鎮痛剤、抗炎症剤、局所止痒剤、抗そう痒剤、非ステロイド剤、アセトアミノフェン、エチルサリチル酸エステル、カンファ、ブフェキサマック、イブプロフェン、インドメタシン、ステロイド剤、例えば、ヒドロコルチゾン、デソニド、トリアムシノロンアセトニド、吉草酸ベタメタゾン、ジプロピオン酸ベタメタゾン、安息香酸ベタメタゾン、プロピオン酸クロベタゾール、ハルシノニド、デスオキシメタゾン、アンシノニド、フルオシノニド、フルアンドレノリド、ジプロピオン酸アルクロメタゾン、フルオシノロンアセトニド、ジフロラゾンジアセテート、モメタゾンフロエート、フルオロメトロン、クロコルトロンピバレート、トリアムシノロンアセトニド、ハルシノニド、皮膚科用薬剤、アントラリンコールタールエキス、角質溶解剤サリチル酸、尿素、局所麻酔剤、例えば、リドカイン、ベンゾカイン、抗ざ瘡剤、例えば、過酸化ベンゾイル、ビタミンA誘導体、いぼ除去剤、サリチル酸、乳酸、及びそのシクロデキストリン複合体からなる群より選ばれる、請求項８記載のコーティング組成物。
【請求項２７】  前記薬剤が、タキソール、パクリタキセル、パクリタキセル誘導体、デキサメタゾン、デキサメタゾン誘導体、ヘパリン、ヘパリン誘導体、タクロリムス、エベロリムス、シクロスポリン、シロリムス、アスピリン、ヒルジン、一酸化窒素薬剤誘導体、一酸化窒素遊離剤、アンギオペプチン及びエノキサプリン、熱分解炭素、シリコンカーバイド、及びその組合わせからなる群より選ばれる、請求項８記載のコーティング組成物。
【請求項２８】  前記放射線不透化合物が、ジアトリゾエート、イオタラメート、メトリゾエート、ヨージパミド、トリヨード安息香酸、ヨータラム酸、ヨウパノイック酸又はヨードパノイック酸、トリヨードフェニル酸、ヨートタラミン酸、ヨウ素、ヨウ化物、臭素、ペルフルオロオクチルブロミド、硫酸バリウム、サマリウム、エルビウム、三酸化ビスマス、酸化チタン、酸化ジルコニウム、金、白金、銀、タンタル、ニオブ、タングステン、金、チタン、イリジウム、白金、レニウム及びその組合わせからなる群より選ばれる、請求項９記載のコーティング組成物。
【請求項２９】  防曇性を有する対象物であって、防曇性を有する前記対象物の少なくとも一方の表面上に請求項１記載の水性コーティング組成物から形成された親水性コーティングを有する対象物を含む、前記対象物。
【請求項３０】  前記対象物の表面が、前記コーティング組成物でコーティングする前には、金属、金属合金、プラスチック、ガラス又はその組合わせからなり、前記コーティング組成物でコーティングした際に防曇性を有する、請求項２９記載の対象物。
【請求項３１】  前記表面が、前記コーティング組成物でコーティングした際に潤滑性である、請求項３０記載の対象物。
【請求項３２】  前記金属又は金属合金が、アルミニウム、マグネシウム、ベリリウム、鉄、亜鉛、炭素鋼、ステンレス鋼、ニッケル、ニッケル-コバルト、クロム、チタン、タンタル、希土類金属、銀、金、白金、タングステン、バナジウム、銅、真鍮、青銅及びその組合わせからなる群より選ばれた金属又は金属合金からできている、請求項３０記載の対象物。
【請求項３３】  前記プラスチックが、透明又は不透明ポリウレタン、ポリカーボネート、ポリエーテル、ポリエステル、ポリ塩化ビニル、ポリスチレン、ポリエチレン、ポリ酢酸ビニル、シリコーンゴム、ゴムラテックス、ポリエステル-ポリエーテルコポリマー、エチレンメタクリレート、フタル酸ポリマー、シリコーン、天然ゴム、合成ゴム、ナイロン、ポリアミド、そのフッ素化誘導体及びその組合わせからなる群より選ばれる、請求項３０記載の対象物。
【請求項３４】  前記ガラスが、光学ガラス、光学レンズ、偏光ガラス、鏡、光学鏡、プリズム、石英ガラス及びセラミックからなる群より選ばれる、請求項３０記載の対象物。
【請求項３５】  前記親水性コーティングが、該金属、金属合金、プラスチック又はガラスの対象物の表面上に水滴が生じることを防止し、該対象物に防曇性、アンチグレア性、潤滑性を与える、請求項３０記載の対象物。
【請求項３６】  金属又は金属合金表面を有する該対象物には、フリーザーのドア、温室の建造物、鏡、コンデンサーのパイプ、冷却板、冷却ひれ、船体、水中乗り物、水中発射物又は飛行機が含まれる、請求項３０記載の対象物。
【請求項３７】  プラスチック表面を有する該対象物には、ハンドシールド、ヘルメット、水泳ゴーグル、外科医のフェースシールド、食品包装のプラスチックホイル、温室の壁、温室の屋根、鏡、フロントガラス、水中移動物体、飛行機のウインドウシールド又は乗用気球が含まれる、請求項３０記載の対象物。
【請求項３８】  ガラス表面を有する該対象物には、窓ガラス、温室のガラス、ガラスシート、ハンドシールド、光学ガラス、光学レンズ、偏光ガラス、鏡、光学鏡、プリズム、石英ガラス、パラボラアンテナ、自動車のヘッドビーム灯のガラス、自動車のフロントガラス、飛行機の制御灯のガラス又は滑走路灯が含まれる、請求項３０記載の対象物。
【請求項３９】  前記放射線不透剤が、ジアトリゾエート、イオタラメート、メトリゾエート、ヨージパミド、トリヨード安息香酸、ヨータラム酸、ヨウパノイック酸又はヨードパノイック酸、トリヨードフェニル酸、ヨードタラミン酸、ヨウ素、ヨウ化物、臭素、ペルフルオロオクチルブロミド、硫酸バリウム、サマリウム、エルビウム、三酸化ビスマス、酸化チタン、酸化ジルコニウム、金、白金、銀、タンタル、ニオブ、タングステン、金、チタン、イリジウム、白金、レニウム及びその組合わせからなる群より選ばれる、請求項９記載のコーティング組成物。